【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
通信機器であって、
第１の周波数帯を用いて、第１のアドバタイズ信号を送信する第１の送信手段と、
前記第１の送信手段による送信した前記第１のアドバタイズ信号に対して、前記通信機器に関する情報を要求する要求信号を受信した場合、前記第１の周波数帯とは異なる第２の周波数帯を用いて、前記第１のアドバタイズ信号よりもデータサイズが大きい第２のアドバタイズ信号を送信する第２の送信手段と
を有することを特徴とする通信機器。
【請求項２】
前記要求信号を受信した場合、前記要求信号に基づいて、通信圏内に、前記第２のアドバタイズ信号を受信可の外部機器が存在するか否かを判定する判定手段を有し、
前記第２の送信手段は、前記判定手段の判定結果が存在することを示す場合、前記第２のアドバタイズ信号を送信することを特徴とする請求項１に記載の通信機器。
【請求項３】
前記判定手段は、前記第１のアドバタイズ信号を送信してから予め設定された時間内に前記要求信号を受信した場合、通信圏内に前記第２のアドバタイズ信号を受信可の外部機器が存在すると判定し、前記時間内に要求信号を受信しなかった場合は前記通信圏内に第２のアドバタイズ信号を受信可の外部機器が非存在と判定する
ことを特徴とする請求項２に記載の通信機器。
【請求項４】
前記判定手段は、前記要求信号に、前記第２のアドバタイズ信号の受信可のデバイスアドレスが格納されている場合に、通信圏内に前記第２のアドバタイズ信号を受信可の外部機器が存在すると判定し、前記受信可のデバイスアドレスが格納されていない場合に前記第２のアドバタイズ信号を受信可の外部機器が非存在と判定する
ことを特徴とする請求項２に記載の通信機器。
【請求項５】
前記判定手段は、前記要求信号の受信感度が予め設定された閾値以上の場合、通信圏内に前記第２のアドバタイズ信号を受信可の外部機器が存在すると判定し、前記受信感度が前記閾値に満たない場合には前記通信圏内に第２のアドバタイズ信号を受信可の外部機器が非存在と判定する
ことを特徴とする請求項２に記載の通信機器。
【請求項６】
前記第２の送信手段は、前記判定手段が通信圏内に前記第２のアドバタイズ信号を受信可の外部機器が存在すると判定した場合であっても、受信した前記要求信号の受信感度が予め設定された閾値に満たない場合は、前記第２のアドバタイズ信号を送信しない
ことを特徴とする請求項３または４に記載の通信機器。
【請求項７】
前記要求信号は、Ｂｌｕｅｔｏｏｔｈ（登録商標）に定義された信号である
ことを特徴とする請求項１乃至６のいずれか１項に記載の通信機器。
【請求項８】
前記第１の送信手段は、Ｂｌｕｅｔｏｏｔｈ（登録商標）で定義されているプライマリ・アドバタイジング・チャネルを用いたアドバタイズ信号を送信し、
前記第２の送信手段は、Ｂｌｕｅｔｏｏｔｈ（登録商標）で定義されているセカンダリ・アドバタイジング・チャネルを用いたアドバタイズ信号を送信する
ことを特徴とする請求項１乃至７のいずれか１項に記載の通信機器。
【請求項９】
アドバタイズ信号を受信する受信手段と、
該受信手段で受信したアドバタイズ信号が前記第２のアドバタイズ信号であるか否かを判定することで、通信圏内に前記第２のアドバタイズ信号の受信可の外部機器が存在するか否かを判定する第２の判定手段と、を更に有し、
前記第２の送信手段は、前記第２の判定手段の判定結果が存在することを示す場合、前記第２のアドバタイズ信号を送信する
ことを特徴とする請求項１乃至８のいずれか１項に記載の通信機器。
【請求項１０】
前記第１の送信手段は、前記第２の送信手段が前記第２のアドバタイズ信号の送信を開始した後も、前記第１のアドバタイズ信号を定期的に送信することを特徴とする請求項１乃至９のいずれか１項に記載の通信機器。
【請求項１１】
前記第２の送信手段は、前記第２の送信手段が前記第２のアドバタイズ信号の送信を開始した後に送信した第１のアドバタイズ信号に対して要求信号を受信しなかった場合、前記第２のアドバタイズ信号の送信を停止することを特徴とする請求項１０に記載の通信機器。
【請求項１２】
前記第２の送信手段は、前記第２の送信手段が前記第２のアドバタイズ信号の送信を開始した後に送信した第１のアドバタイズ信号に対して要求信号を受信した場合、前記判定手段が、該要求信号に基づき、前記通信圏内に第２のアドバタイズ信号を受信可の外部機器が非存在と判定すると、前記第２のアドバタイズ信号の送信を停止することを特徴とする請求項２に記載の通信機器。
【請求項１３】
通信機器の制御方法であって、
第１の周波数帯を用いて、第１のアドバタイズ信号を送信する第１の送信工程と、
前記第１の送信工程による送信した前記第１のアドバタイズ信号に対して、前記通信機器に関する情報を要求する要求信号を受信した場合、前記第１の周波数帯とは異なる第２の周波数帯を用いて、前記第１のアドバタイズ信号よりもデータサイズが大きい第２のアドバタイズ信号を送信する第２の送信工程と
を有することを特徴とする通信機器の制御方法。
【請求項１４】
第１のサイズよりもデータサイズが大きい第２のサイズのアドバタイズ信号を送信する通信機器であって、
アドバタイズ信号を受信する受信手段と、
該受信手段でアドバタイズ信号を受信しない、又は、受信したアドバタイズ信号が前記第１のサイズの場合は、通信圏内に前記第２のサイズのアドバタイズ信号を受信可能な外部機器が非存在と判定し、
該受信手段で受信したアドバタイズ信号が前記第２のサイズである場合は、通信圏内には前記第２のサイズのアドバタイズ信号を受信可能な外部機器が存在すると判定する判定手段と、
該判定手段の判定結果が存在することを示す場合、前記第２のサイズのアドバタイズ信号を送信する
ことを特徴とする通信機器。
【請求項１５】
第１のサイズよりもデータサイズが大きい第２のサイズのアドバタイズ信号を送信する通信機器の制御方法であって、
アドバタイズ信号を受信する受信工程と、
該受信工程でアドバタイズ信号を受信しない、又は、受信したアドバタイズ信号が前記第１のサイズの場合は、通信圏内に前記第２のサイズのアドバタイズ信号を受信可能な外部機器が非存在と判定し、
該受信工程で受信したアドバタイズ信号が前記第２のサイズである場合は、通信圏内には前記第２のサイズのアドバタイズ信号を受信可能な外部機器が存在すると判定する判定工程と、
該判定工程の判定結果が存在することを示す場合、前記第２のサイズのアドバタイズ信号を送信する
ことを特徴とする通信機器の制御方法。
【請求項１６】
コンピュータが読み込み実行することで、前記コンピュータに、請求項１３又は１５に記載の方法の各工程を実行させるためのプログラム。
【手続補正２】
【補正対象書類名】明細書
【補正対象項目名】０００７
【補正方法】変更
【補正の内容】
【０００７】
この課題を解決するため、例えば本発明の通信機器は以下の構成を備える。すなわち、
通信機器であって、
第１の周波数帯を用いて、第１のアドバタイズ信号を送信する第１の送信手段と、
前記第１の送信手段による送信した前記第１のアドバタイズ信号に対して、前記通信機器に関する情報を要求する要求信号を受信した場合、前記第１の周波数帯とは異なる第２の周波数帯を用いて、前記第１のアドバタイズ信号よりもデータサイズが大きい前記第２のアドバタイズ信号を送信する第２の送信手段とを有する。